(57)【要約】【課題】表示品位の低下を抑制するとともに、電源オフ時に絵素に電圧が印加され続けることを防止する。【解決手段】画像表示期間中には書込対象として選択するゲートライン（走査信号線）上の各絵素に入力されるゲート信号（走査信号）Ｖｇｈの信号波形の絵素毎の差異を小さくするためのゲート信号生成用電圧（走査信号生成用電圧）ＶＧＨの波形調整処理を行い、電源オフ処理時には波形調整処理を行わない。【選択図】図９
2015197484.tif 000002
【特許請求の範囲】
【請求項１】
複数の走査信号線と、上記各走査信号線と交差する複数の映像信号線と、上記映像信号線と上記映像信号線との交差部毎に設けられた絵素と、上記走査信号線に書込対象の走査信号線を選択するための走査信号を出力する走査信号線駆動部と、上記各映像信号線に画像データに応じた電位を出力する映像信号線駆動部と、上記走査信号線駆動部に上記走査信号を生成するための走査信号生成用電圧を供給する電圧制御部とを備え、上記走査信号線駆動部が上記走査信号生成用電圧に応じた走査信号を書込対象とする走査信号線に出力する液晶表示装置であって、
画像表示期間中には、上記電圧制御部は書込対象として選択する走査信号線上の各絵素に入力される上記走査信号の信号波形の絵素毎の差異を小さくするための上記走査信号生成用電圧の波形調整処理を行い、かつ上記映像信号線駆動部は画像データに応じた電位を上記各映像信号線に出力し、
当該液晶表示装置の電源オフ処理時には、上記電圧制御部は上記波形調整処理を行わず、上記映像信号線駆動部は電源オフ処理用の所定電位を上記各映像信号線に出力することを特徴とする液晶表示装置。
【請求項２】
外部電源から供給される電力を上記電圧制御部に供給する主電源回路と、
当該液晶表示装置に備えられる充電手段に充電された電力を上記電圧制御部に供給する補助電源回路とを備え、
上記電圧制御部は、画像表示期間中には上記主電源回路からの供給電圧に上記波形調整処理を施して生成した上記走査信号生成用電圧を上記走査信号線駆動部に出力し、電源オフ処理時には上記補助電源回路からの供給電圧に応じた電圧を上記走査信号生成用電圧として上記走査信号線駆動部に出力することを特徴とする請求項１に記載の液晶表示装置。
【請求項３】
上記外部電源からの供給電圧の低下を検知する電圧検知部を備え、
上記電圧制御部および上記映像信号線駆動部は、上記電圧検知部によって上記外部電源からの供給電圧が所定値以下に低下したことが検知された場合に上記電源オフ処理を行うことを特徴とする請求項２に記載の液晶表示装置。
【請求項４】
上記絵素は、絵素電極と、対向電極と、絵素電極と対向電極との間に配置された液晶層と、ゲート端子が上記走査信号線に接続され、ソース端子が上記映像信号線に接続され、ドレイン端子が上記絵素電極に接続されたスイッチング素子とを備え、
上記所定電位は、上記対向電極またはグランド電位と略同電位であることを特徴とする請求項１から３のいずれか１項に記載の液晶表示装置。
【請求項５】
上記スイッチング素子は、酸化物半導体からなるチャネル層を備えた薄膜トランジスタであることを特徴とする請求項４に記載の液晶表示装置。
【請求項６】
複数の走査信号線と、上記各走査信号線と交差する複数の映像信号線と、上記映像信号線と上記映像信号線との交差部毎に設けられた絵素と、上記走査信号線に書込対象の走査信号線を選択するための走査信号を出力する走査信号線駆動部と、上記各映像信号線に画像データに応じた電位を出力する映像信号線駆動部と、上記走査信号線駆動部に上記走査信号を生成するための走査信号生成用電圧を供給する電圧制御部とを備え、上記走査信号線駆動部が上記走査信号生成用電圧に応じた走査信号を書込対象とする走査信号線に出力する液晶表示装置の制御方法であって、
画像表示期間中には、上記電圧制御部に書込対象として選択する走査信号線上の各絵素に入力される上記走査信号の信号波形の絵素毎の差異を小さくするための上記走査信号生成用電圧の波形調整処理を行わせるとともに、上記映像信号線駆動部から上記各映像信号線に表示させる画像に応じた電位を出力させ、
当該液晶表示装置の電源オフ処理時には、上記電圧制御部に上記波形調整処理を行なわず、上記映像信号線駆動部から上記各映像信号線に電源オフ処理用の所定電位を出力させることを特徴とする液晶表示装置の制御方法。
【発明の詳細な説明】
【技術分野】
【０００１】
本発明は、液晶表示装置において電源オフ時に絵素（画素）に電圧が印加され続けることを抑制するための技術に関するものである。
【背景技術】
【０００２】
従来、液晶表示装置において、絵素に対して同一極性の電界を印加し続けると、液晶分子の分極が生じ、表示特性の変化や画像の焼きつき等の不具合が生じることが知られている。また、画像を表示させたまま液晶表示装置の電源をオフにした場合、各絵素には電源がオフされる直前の印加電圧が印加されたままになり、同じ画像を描画させ続けることになるので、この場合にも焼付き現象等の不具合が生じる。
【０００３】
このため、従来の液晶表示装置では、電源をオフにする際、液晶パネルの各絵素に印加された電荷を放出させるための所定の電源オフ処理を実行するようになっている。
【０００４】
例えば、特許文献１には、電源回路に電解コンデンサを備えておき、液晶表示装置の電源がオフされたときに、この電解コンデンサに蓄えられた電荷を用いて液晶パネルの全画面に電源オフ処理用の所定パターンを描画する処理を行う技術が記載されている。
【０００５】
また、従来、ゲートラインの配線抵抗に起因するゲート信号の波形の鈍りにより、ゲートドライバの近傍に配置された絵素とゲートドライバから遠い位置に配置された絵素とで入力されるゲート信号の波形が異なることが知られている。このため、特に大型の液晶表示装置では、ゲートライン上の位置に応じて（ゲートドライバからの配線経路長に応じて）、各絵素に入力されるゲート信号によるソース信号の引き込み量にバラツキが生じ、表示品位が低下してしまう。
【０００６】
このようなゲート信号の波形の鈍りに起因する表示品位の低下を防止するための技術として、例えば特許文献２には、ゲートドライバから出力されるゲート信号の信号波形を調整することが記載されている。
【先行技術文献】
【特許文献】
【０００７】
【特許文献１】特開２０００−１３１６７１号公報（２０００年５月１２日公開）
【特許文献２】国際公開第２０１２／００５０４４号パンフレット（２０１２年１月１２日公開）
【発明の概要】
【発明が解決しようとする課題】
【０００８】
しかしながら、上記特許文献２のようにゲート信号の信号波形を調整する構成において上記特許文献１のように電源オフ時に電源オフ処理を実行すると、ゲート信号の信号波形を調整することによって各絵素に入力されるゲート信号の電圧が低下し、絵素のスイッチング素子を駆動できなくなって電源オフ処理用の所定パターンを絵素に描画できなくなるという問題がある。
【０００９】
図１１は上記の問題点を説明するための説明図である（なお、図１１に示した構成は上記の問題点を説明するために本願発明者が考案したものであり、公知技術ではない）。
【００１０】
図１１の（ａ）は、ゲート信号の信号波形の調整を行わない場合（ゲートスロープ信号なしの場合）における通常駆動時（画像データに応じた画像表示時）の信号波形を示している。また、図１１の（ｂ）は、ゲート信号の信号波形の調整を行う場合（ゲートスロープ信号ありの場合）における通常駆動時（画像データに応じた画像表示時）の信号波形を示している。また、図１１の（ｃ）は、ゲート信号の信号波形の調整を行う場合における電源オフ処理時（各絵素に電源オフ処理用の所定電位を印加する処理時）の信号波形を示している。なお、図１１の（ａ）〜（ｃ）における上段は液晶表示装置の制御回路で用いられるゲートドライバの動作を制御するための制御信号を示しており、下段は絵素（液晶パネルにおけるゲートライン側の端部近傍の絵素、および中央部近傍の絵素）への入力信号を示している。
【００１１】
図１１の（ａ）の上段に示すように、ゲートドライバの動作は、ゲートスタートパルスＧＳＰ、ゲートクロック信号ＧＣＫ、およびゲート信号生成用電圧ＶＧＨに基づいて制御される。ゲートドライバは、ゲートスタートパルスＧＳＰおよびゲートクロック信号ＧＣＫに応じたタイミングでゲート信号生成用電圧ＶＧＨに応じたゲート信号Ｖｇｈを各ゲートラインに順次出力する。
【００１２】
その結果、図１１の下段に示すように、各ゲートラインにゲート信号Ｖｇｈが順次印加される。この際、液晶パネルにおけるゲートドライバ側の端部近傍の絵素には、ゲートラインの配線抵抗が比較的小さいので、ゲートドライバからの出力電位と略同様のゲート信号Ｖｇｈが入力される（図中の実線部参照）。一方、液晶パネルの中央部近傍（あるいはゲートドライバから遠い側の端部近傍）の絵素への入力電位は、ゲートラインの配線抵抗が比較的大きくなってゲートドライバからの出力電位に対して大きく鈍る（図中の破線部参照）。このため、各絵素に入力されるゲート信号Ｖｇｈの信号波形および到達電位は、ゲートライン上における各絵素の配置位置に応じて異なる。
【００１３】
このため、ゲートドライバ側の端部近傍の絵素とパネル中央部近傍（あるいはゲートドライバから遠い側の端部近傍）の絵素とでは、ゲート信号Ｖｇｈによるソース信号の引き込み量にバラツキが生じ、それによって表示品位が低下する。
【００１４】
これに対して、図１１の（ｂ）に示すように、ゲートドライバの前段に備えられる制御回路がゲートドライバに供給するゲート信号生成用電圧ＶＧＨの波形を調整することにより、各絵素に入力されるゲート信号Ｖｇｈの電圧のバラツキを低減し、表示品位の低下を抑制できる。
【００１５】
なお、図１１の例では、ゲートクロック信号ＧＣＫがローレベルである期間に制御回路からゲートドライバにゲート信号生成用電圧ＶＧＨが供給されるようになっている。また、ゲートクロック信号ＧＣＫがローレベルである期間の後半にゲートスロープ信号ＧＳＬＯＰがハイレベルに切り替えられ、ゲートスロープ信号ＧＳＬＯＰがハイレベルに切り替えられるとゲート信号生成用電圧ＶＧＨの電位が徐々に低下するように調整される。その結果、各絵素に入力されるゲート信号Ｖｇｈの到達電位がゲートライン上の位置によらず各絵素について略一様になり、ゲート信号Ｖｇｈによるソース信号の引き込み量が略一様になって表示品位の低下が抑制される。
【００１６】
ところが、電源オフシーケンス時には、液晶表示装置に対する通常駆動時の入力電源が遮断され、電解コンデンサ等の充電手段に蓄えられた電力を用いて電源オフ処理が実行されるため、ゲート信号生成用電圧ＶＧＨは徐々に低下していく。
【００１７】
このため、電源オフシーケンス時に通常駆動時と同様にゲート信号波形の調整を行うと、図１１の（ｃ）に示すように、各絵素に入力されるゲート信号Ｖｇｈの電位が低下して各絵素のスイッチング素子の閾値電圧Ｔｈを下回り、各絵素に対する電源オフ処理用の所定電位の印加を適切に行えなくなってしまう。
【００１８】
本発明は、上記の問題点に鑑みて成されたものであり、その目的は、表示品位の低下を抑制でき、かつ電源オフ時に絵素に電圧が印加され続けることを防止することのできる液晶表示装置を提供することにある。
【課題を解決するための手段】
【００１９】
本発明の一態様にかかる液晶表示装置は、複数の走査信号線と、上記各走査信号線と交差する複数の映像信号線と、上記映像信号線と上記映像信号線との交差部毎に設けられた絵素と、上記走査信号線に書込対象の走査信号線を選択するための走査信号を出力する走査信号線駆動部と、上記各映像信号線に画像データに応じた電位を出力する映像信号線駆動部と、上記走査信号線駆動部に上記走査信号を生成するための走査信号生成用電圧を供給する電圧制御部とを備え、上記走査信号線駆動部が上記走査信号生成用電圧に応じた走査信号を書込対象とする走査信号線に出力する液晶表示装置であって、画像表示期間中には、上記電圧制御部は書込対象として選択する走査信号線上の各絵素に入力される上記走査信号の信号波形の絵素毎の差異を小さくするための上記走査信号生成用電圧の波形調整処理を行い、かつ上記映像信号線駆動部は画像データに応じた電位を上記各映像信号線に出力し、当該液晶表示装置の電源オフ処理時には、上記電圧制御部は上記波形調整処理を行わず、上記映像信号線駆動部は電源オフ処理用の所定電位を上記各映像信号線に出力することを特徴としている。
【発明の効果】
【００２０】
本発明の一態様にかかる液晶表示装置によれば、画像表示期間中に、走査信号線上の位置に応じた走査信号の鈍りに起因する表示品位の低下を抑制することができる。また、電源オフ処理時には、走査信号生成用電圧の波形調整処理によって絵素に入力される走査信号の電位が低下することを防止し、各絵素に電源オフ処理用の所定電位を適切に印加して絵素に蓄積された電荷を放出させることができる。したがって、画像表示期間中における表示品位の低下を抑制するとともに、電源オフ時に絵素に電圧が印加され続けることを適切に防止することができる。
【図面の簡単な説明】
【００２１】
【図１】本発明の一実施形態にかかる液晶表示装置の構成を示す説明図である。
【図２】図１に示し液晶表示装置のゲート制御信号生成部に備えられるゲートスロープ信号生成部および電圧調整部を示す説明図である。
【図３】図１に示した液晶表示装置に備えられる液晶パネルの構成を示す説明図である。
【図４】図３に示した液晶パネルに備えられるＴＦＴ基板の構成を示す説明図である。
【図５】図３に示した液晶パネルに備えられ絵素の構成を示す説明図である。
【図６】図５に示した絵素の等価回路図である。
【図７】図５に示した絵素に備えられるＴＦＴのゲート端子およびソース端子に対する印加電圧の一例を示している。
【図８】図５に示した絵素に備えられるＴＦＴ、および比較例にかかるＴＦＴの特性を示すグラフである。
【図９】図１に示した液晶表示装置におけるゲートドライバの制御信号および各絵素への入力信号の波形を示す説明図である。
【図１０】本発明の他の実施形態にかかる液晶表示装置の構成を示す説明図である。
【図１１】従来の液晶表示装置が有する問題点を説明するための説明図である。
【発明を実施するための形態】
【００２２】
〔実施形態１〕
本発明の一実施形態について説明する。
【００２３】
図１は、本実施形態にかかる液晶表示装置１００の概略構成を示す説明図である。この図に示すように、液晶表示装置１００は、電源回路１、制御回路（制御部）２、ゲートドライバ（走査信号線駆動部）３、ソースドライバ（映像信号線駆動部）４、および液晶パネル５を備えている。
【００２４】
電源回路１は、当該電源回路１の外部電源（例えば商用電源、自家発電電源、充電装置など）から供給される電力を受電するとともに、液晶表示装置１００の各ブロック（各部）に対して電力を供給するものであり、電圧降下検知回路１１、主電源回路１２、および補助電源回路１３を備えている。
【００２５】
電圧降下検知回路（電圧検知部）１１は、外部電源から当該電源回路１への入力電圧を監視することにより、液晶表示装置１００の電源オフ（ユーザの操作による電源オフ、停電・断線等による電源オフなど）を検知する。なお、本実施形態では、電圧降下検知回路１１が外部電源からの供給電圧を監視するものとしているが、これに限らず、例えば主電源回路１２の出力電圧を監視するようにしてもよい。
【００２６】
主電源回路１２は、通常駆動時（画像データに応じた画像を表示する画像表示期間中）に、外部電源から供給される電力を液晶表示装置１００の各ブロックに配分する。
【００２７】
補助電源回路１３は、例えばコンデンサ等の充電手段（図示せず）を備えており、外部電源から供給される電力により上記充電手段を充電するとともに、液晶表示装置１００の電源オフ時に上記充電手段に充電されている電力を液晶表示装置１００における電源オフ処理（電源オフシーケンス）を行う各ブロックに供給する。上記電源オフ処理は、液晶表示装置１００の電源オフ時に液晶パネル５の各絵素の絵素電極に電源オフ処理用の所定電位（例えば対向電極の電位またはグランド電位と略同電位）を印加することにより、各絵素に蓄積された電荷を放出させるための処理である。電源オフ処理の詳細については後述する。
【００２８】
なお、補助電源回路１３に備えられる上記充電手段を充電するための電力は、外部電源から補助電源回路１３に直接入力されてもよく、主電源回路１２から入力されるようにしてもよい。
【００２９】
制御回路２は、当該制御回路２の外部から入力される入力信号に応じた画像を液晶パネル５に表示させるための制御信号を生成し、ゲートドライバ３およびソースドライバ４に出力するものであり、画像データ入力部２１、画像処理部２２、同期処理部２３、ゲート制御信号生成部（電圧制御部）２４、およびソース制御信号生成部２５を備えている。なお、画像データ入力部２１、画像処理部２２、同期処理部２３、ゲート制御信号生成部２４、およびソース制御信号生成部２５は、１つのチップで構成されるものであってもよく、複数のチップから構成されるものであってもよい。
【００３０】
画像データ入力部２１は、制御回路２の外部から入力される入力信号を受け付け、入力信号に含まれる画像信号を画像処理部２２に出力し、入力信号に含まれる同期信号を同期処理部２３に出力する。
【００３１】
画像処理部２２は、画像データ入力部２１から入力された画像信号をソースドライバ４の入力フォーマットに応じた信号に変換してソースドライバ４に出力する。
【００３２】
同期処理部２３は、画像データ入力部２１から入力された同期信号に基づいて各絵素の水平方向の位置情報と垂直方向の位置情報とを生成し、垂直方向の位置情報をゲート制御信号生成部２４に出力し、水平方向の位置情報をソース制御信号生成部２５に出力する。
【００３３】
ゲート制御信号生成部２４は、同期処理部２３から入力される垂直方向の位置情報に基づいて、ゲートドライバ３を制御するための制御信号（ゲートスタートパルスＧＳＰ、ゲートクロック信号ＧＣＫ、ゲート出力イネーブルＧＯＥ等）を生成してゲートドライバ３に送る。
【００３４】
また、ゲート制御信号生成部２４は、図２に示すように、ゲートスロープ信号生成部２６と電圧調整部２７とを備えている。
【００３５】
ゲートスロープ信号生成部２６は、同期処理部２３から入力される制御信号および電圧降下検知回路１１から入力される制御信号に基づいて、ゲートドライバ３に出力するゲート信号生成用電圧（走査信号生成用電圧）ＶＧＨの信号波形を制御するためのゲートスロープ信号ＶＳＬＯＰを生成し、電圧調整部２７に出力する。
【００３６】
電圧調整部２７は、電源回路１からの入力信号の電位（本実施形態では定電位（２６Ｖ））をゲートスロープ信号ＧＳＬＯＰ信号に基づいて調整したゲート信号生成用電圧ＶＧＨをゲートドライバ３に出力する。なお、制御回路２に、電源回路１からの入力信号の電位を所定の定電位に変換する電位変換手段を設け、この電位変換手段によって定電位に変換された電位を電圧調整部２７に供給するようにしてもよい。ゲート制御信号生成部２４および電圧調整部２７における処理の詳細については後述する。
【００３７】
ソース制御信号生成部２５は、同期処理部２３から入力される水平方向の位置情報に基づいて、ソースドライバ４を制御するための制御信号（ラッチパルス、液晶を交流駆動するための極性反転信号等）を生成してソースドライバ４に出力する。
【００３８】
図３は、液晶パネル５の概略構成を示す説明図である。この図に示すように、液晶パネル５は、スペーサ５３を介して対向配置されたＴＦＴ基板５１および対向基板５２と、ＴＦＴ基板５１と対向基板５２との間に封入された液晶材料からなる液晶層５４と、ＴＦＴ基板５１の裏面側（対向基板５２との対向面と反対側の面側）に配置された第１偏光板５５と、対向基板５２の表面側（ＴＦＴ基板５１との対向面と反対側の面側）に配置された第２偏光板５６とを備えている。また、液晶パネル５の裏面側には、バックライト５７が配置されている。
【００３９】
第１偏光板５５は、バックライト５７から照射された光のうち、当該第１偏光板５５の偏光軸方向に応じた光のみを透過させる。また、各絵素（サブピクセル）の液晶層５４には画像データに応じた電圧が印加されるようになっており、これによって各絵素における液晶の複屈折が画像データに応じて変化し、各絵素を通過する光の偏光方向は画像データに応じて変化する。また、第２偏光板５６は、液晶層５４を通過した光のうち、当該第２偏光板５６の偏光軸方向に応じた光のみを透過させる。これにより、液晶パネル５を透過する光の光量を画像データに応じて絵素毎に制御することで画像表示を行うようになっている。
【００４０】
また、対向基板５２における各絵素に対応する領域には、Ｒ（赤），Ｇ（緑），Ｂ（青）のいずれかのカラーフィルタが形成されており、Ｒ，Ｇ，Ｂの３つの絵素の組み合わせによって１つの画素（ピクセル）が形成されている。これにより、各画素のＲ，Ｇ，Ｂの透過光量が画像データに応じて画素毎に制御され、画像データに応じた画像が表示される。なお、本実施形態では、Ｒ，Ｇ，Ｂの絵素を備えているものとしているが、これに限るものではなく、他の色の絵素を備えていてもよい。
【００４１】
また、本実施形態では、液晶表示装置１００がバックライトから出射される光を用いて表示を行う透過型の液晶表示装置１００である場合について説明するが、これに限らず、例えば、外部からの入射光を反射させて表示光として用いる反射型の液晶表示装置であってもよく、透過型の液晶表示装置の機能と反射型の液晶表示装置の機能とを併せ持った半透過型の液晶表示装置であってもよい。
【００４２】
また、本実施形態では、絵素電極がＴＦＴ基板５１に備えられ、対向電極が対向基板５２に備えられた液晶表示装置について説明するが、これに限らず、絵素電極および対向電極の両方が同一基板に備えられた構成であってもよい。
【００４３】
図４はＴＦＴ基板５１の概略構成を示す説明図である。この図に示すように、ＴＦＴ基板５１上には、多数のゲートライン（走査信号線）３１と、各ゲートライン３１と交差するように配置された多数のソースライン（映像信号線）４１と、ゲートライン３１とソースライン４１との交差部毎に設けられた絵素５０とを備えている。
【００４４】
図５は液晶パネル５に備えられる絵素５０の絵素構造を示す説明図である。
【００４５】
各絵素５０は、図５に示すように、スイッチング素子としてのＴＦＴ（Thin Film Transistor、薄膜トランジスタ）６１と、絵素電極６２と、対向電極６３を備えている。また、ＴＦＴ６１のゲート端子はゲートライン３１に接続されており、ソース端子はソースライン４１に接続されており、ドレイン端子は絵素電極６２に接続されている。
【００４６】
なお、本実施形態では、ＴＦＴ６１として、インジウムガリウム亜鉛酸化物半導体（酸化物半導体）からなるチャネル層を有するＴＦＴを用いている。ただし、ＴＦＴ６１の構成はこれに限らず、インジウムガリウム亜鉛酸化物半導体以外の酸化物半導体からなるチャネル層を有するものであってもよく、酸化物半導体以外の材質からなるチャネル層を有するものであってもよい。
【００４７】
また、各ゲートライン３１はゲートドライバ３に接続されており、各ソースライン４１はソースドライバ４に接続されている。また、対向電極６３は対向基板５２上に配置された対向配線（図示せず）を介して基準電位（対向電位）に接続されている。
【００４８】
これにより、ゲートドライバ３が書込対象のゲートライン３１を周期的に切り替え、ソースドライバ４がゲートドライバ３と同期して、各ソースラインに対する印加電圧を画像データにおける書込対象として選択されているゲートラインに接続されている各絵素の画素値に応じて制御することで、各絵素５０の液晶層５４に画像データに応じた電圧を印加して液晶分子の配向方向を制御し、表示を行う。
【００４９】
図６は、絵素５０の等価回路図である。ＴＦＴ６１のゲート端子の電圧が当該ＴＦＴ６１のソース端子の電圧よりも所定値以上高くなると（あるいは所定の閾値Ｔｈ以上になると）ＴＦＴ６１がＯＮになり、ソース端子とドレイン端子との間を電流が流れ、ソースライン４１の電位が液晶容量（液晶層５４）に印加される。等価回路図では、絵素電極６２、対向電極６３、および液晶層５４はコンデンサとして表される。なお、図６に示す例では、液晶容量（絵素電極６２、液晶層５４、および対向電極６３）に対して並列に配置された、各絵素の電位を維持するための液晶補助容量（ＣＳ容量）６４が備えられているが、この液晶補助容量６４は必須の構成ではなく、省略してもよい。
【００５０】
ゲートドライバ３は、ゲート制御信号生成部２４から入力される制御信号に基づいて液晶パネル５に備えられる各ゲートライン３１に印加する電圧を制御することにより（ゲート信号をハイレベルとローレベルとに切り替えることにより）、書込対象のゲートライン３１を周期的に切り替える。
【００５１】
ソースドライバ４は、ソース制御信号生成部２５から入力される制御信号に基づいて、ゲートドライバ３による書込対象のゲートライン３１の切替周期に同期したタイミングで各ソースライン４１に印加する電圧を制御する。具体的には、画像処理部２２から入力される信号とソース制御信号生成部２５から入力される極性反転信号とに応じて各ソースライン４１に印加するための電位（各ソースライン４１に接続された絵素のうち書き込み対象のゲートライン３１に接続されている絵素に印加するための電位）を生成し、生成した電位をソース制御信号生成部２５から入力されるラッチパルスＬＳに応じたタイミングで各ソースライン４１に印加する。
【００５２】
すなわち、ソースドライバ４は、ラッチパルスＬＳがハイレベルになる毎に各ソースライン４１に書き込む電位を同時に切り替える。したがって、ソースドライバ４は、ラッチパルスＬＳがハイレベルになる毎に１ライン分（１ゲートライン分）のデータを書き込む。
【００５３】
ゲートドライバ３は、ラッチパルスＬＳと同期したタイミングで各ゲートライン３１に対して１ラインずつ順次ハイレベルの電位を出力していく。
【００５４】
ゲートライン３１の電位がハイレベルになると、そのゲートライン３１に接続された各絵素のＴＦＴ６１のゲート端子の電位がハイレベル（閾値電圧ＴＨ以上）になり、当該ＴＦＴ６１のソース端子からドレイン端子に電流が流れ、当該ＴＦＴ６１に接続されたソースライン４１の電位が絵素電極６２に印加される。この作業を全てのゲートライン３１について順次行うことにより、１画面の表示が行われる。なお、このようにして各絵素の絵素電極に電位を印加する作業を書き込みと称する。
【００５５】
図７は、ＴＦＴ６１のゲート端子およびソース端子に対する印加電圧の一例を示している。ゲート端子に対する印加電圧（ゲート信号Ｖｇｈ）がハイレベル（ＴＦＴ６１の閾値電圧Ｔｈ以上）の場合にソース端子とドレイン端子との間が導通し、ソースライン４１を介してソース端子に印加されている電圧が絵素電極６２に印加される。
【００５６】
なお、上述したように、本実施形態では、ＴＦＴ６１として、インジウムガリウム亜鉛酸化物半導体からなるチャネル層を有するＴＦＴを用いている。
【００５７】
図８は、インジウムガリウム亜鉛酸化物半導体からなるＴＦＴ（実施例）、低温ポリシリコン（ＬＴＰＳ）からなるＴＦＴ（比較例１）、およびアモルファスシリコン（ａ−Ｓｉ）からなるＴＦＴ（比較例２）の特性を比較したグラフである。図８の横軸はＴＦＴのゲート−ソース間の電位差（Ｖｇ−Ｖｓ）、縦軸はソース−ドレイン間を流れる電流を示している。
【００５８】
図８に示したように、インジウムガリウム亜鉛酸化物半導体からなるＴＦＴは、オフリーク電流（ＴＦＴがオフのときにソース−ドレイン間を流れる電流）がアモルファスシリコン（ａ−Ｓｉ）からなるＴＦＴの１／１０００以下、低温ポリシリコン（ＬＰＴＳ）からなるＴＦＴの１／１００００以下であるという特性を有している。
【００５９】
インジウムガリウム亜鉛酸化物半導体からなるＴＦＴが有する上記のオフリーク電流が少ないという特性は、駆動時の特性の向上（低消費電力の低減等）をもたらすが、その一方で、液晶表示装置の電源がオフされた時に絵素電極に蓄積された電荷が抜けにくいという問題がある。絵素電極に電荷が残っていると、絵素電極と対向電極との間の電位差によって液晶層に一定方向の電界がかかり、有極性分子からなる液晶分子に分極が生じて特性ずれや画像の焼き付き等の不具合が生じる場合がある。
【００６０】
このため、本実施形態にかかる液晶表示装置１００では、電源オフ時に絵素電極に蓄積されている電荷を抜くための所定の電源オフ処理を行うようになっている。
【００６１】
（１−２．ゲート信号の波形調整処理、および電源オフ処理）
次に、ゲート信号の波形調整処理、および液晶表示装置１００の電源オフ時に行う電源オフ処理について説明する。
【００６２】
図９の（ａ）は通常駆動時（画像データに応じた画像を表示する画像表示期間）にゲート制御信号生成部２４で生成あるいは使用されるゲートドライバ３の制御信号および各絵素への入力信号の波形を示しており、図９の（ｂ）は電源オフ処理時にゲート制御信号生成部２４で生成あるいは使用されるゲートドライバ３の制御信号および各絵素への入力信号の波形を示している。
【００６３】
図９の（ａ）の上段に示したように、ゲート制御信号生成部２４のゲートスロープ信号生成部２６は、電圧降下検知回路１１によって電源オフが検知されていない場合、ゲートクロック信号ＧＣＫに応じたタイミングで、電源回路１から入力されるゲート信号生成用電圧ＶＧＨの信号波形を調整するためのゲートスロープ信号ＶＳＬＯＰを生成する。
【００６４】
具体的には、本実施形態では、ゲートクロック信号ＧＣＫがローレベルである期間に制御回路２からゲートドライバ３にゲート信号生成用電圧ＶＧＨが供給されるようになっている。また、ゲートクロック信号ＧＣＫがローレベルである期間の後半にゲートスロープ信号ＧＳＬＯＰがハイレベルに切り替えられる。
【００６５】
また、電圧調整部２７は、ゲートスロープ信号生成部２６から入力されるゲートスロープ信号ＶＳＬＯＰがハイレベルに切り替わると、電源回路１からの入力信号の電位を傾斜状に徐々に低下させるゲート信号生成用電圧ＶＧＨの波形調整処理が行われる。
【００６６】
ゲートドライバ３は、ゲートクロック信号ＧＣＫに応じたタイミングでゲート信号生成用電圧ＶＧＨに応じたゲート信号Ｖｇｈを各ゲートラインに順次出力する。なお、本実施形態では、ゲートクロック信号ＧＣＫがローレベルである期間にゲート信号Ｖｇｈを出力するようになっている。
【００６７】
これにより、ゲートドライバ３から各ゲートラインに出力されるゲート信号の波形は電圧調整部２７で調整されたゲート信号生成用電圧ＶＧＨに応じた波形になる。その結果、図９の（ａ）の下段に示したように、液晶パネル５におけるゲートドライバ３側の端部近傍の絵素への入力信号波形と液晶パネル５における中央部近傍の絵素への入力信号波形との差異がゲート信号の波形調整処理を行わない場合よりも低減される。したがって、各絵素に入力されるゲート信号Ｖｇｈの到達電位のバラツキを低減し、表示品位の低下を抑制できる。
【００６８】
また、電源オフ処理時には、図９の（ｂ）の上段に示したように、ゲート制御信号生成部２４は、ゲートスタートパルスＧＳＰをハイレベルに固定し、ゲートスロープ信号ＧＳＬＯＰをローレベルに固定する。すなわち、ゲートスロープ信号生成部２６は、電圧降下検知回路１１からの検知信号が電源オフの検知を示すものである場合、ゲートスロープ信号ＧＳＬＯＰをローレベル（ゲート信号生成用電圧ＶＧＨの波形調整処理を行わないことを示す電位）に固定する。これにより、電圧調整部２７からゲートドライバ３には、電源回路１から電圧調整部２７への入力電位（本実施形態では定電位２６Ｖ）がそのまま出力される。なお、ゲートスタートパルスＧＳＰがハイレベルに固定されている場合、各ゲートライン３１が書込対象として順次選択されるとともに、書込対象として選択されたゲートライン３１はその後も非書込対象とされることなく書込対象のゲートラインとして維持される。すなわち、書込対象として選択されたゲートライン３１上の各絵素のＴＦＴ６１はソース端子−ドレイン端子間が導通状態に維持される。
【００６９】
これにより、図９の（ｂ）の下段に示したように、各ゲートラインには波形調整処理が行われていないゲート信号生成用電圧ＶＧＨに対応するゲート信号Ｖｇｈが出力される。
【００７０】
したがって、電源オフ処理時に、充電手段からゲート制御信号生成部２４への供給電圧が低下してゲート制御信号生成部２４からゲートドライバ３に供給されるゲート信号生成用電圧ＶＧＨが低下した場合であっても、ゲート信号の波形調整処理によって各絵素に入力されるゲート信号Ｖｇｈの電位がさらに低下してしまうことを防止できる。これにより、各絵素に入力されるゲート信号Ｖｇｈの電位を各絵素のＴＦＴ６１の閾値電圧Ｔｈ以上に維持することができ、電源オフ処理用の所定電位を各絵素に適切に印加することができる。
【００７１】
あるいは、電源オフ処理用の所定電位を各絵素に適切に印加するために充電手段に要求される容量（電力供給能力）を、電源オフ処理時にゲート信号の波形調整処理を行う場合よりも低減できる。したがって、電源オフ処理時にゲート信号の波形調整処理を行う場合よりも容量の少ない安価な充電手段を用いることができるので、コストダウンを図ることができる。
【００７２】
〔実施形態２〕
本発明のさらに他の実施形態について説明する。なお、上述した実施形態と同様の機能を有する部材には当該実施形態と同じ符号を付し、その説明を省略する。
【００７３】
図１０は、本実施形態にかかる液晶表示装置１００ｂの構成を示す説明図である。図１に示した液晶表示装置１００と異なる点は、画像データ入力部２１、画像処理部２２、および同期処理部２３に代えて、タイミングコントローラ２ｂを備えており、タイミングコントローラ２ｂとは別にゲート制御信号生成部２４およびソース制御信号生成部２５が備えられている。タイミングコントローラ２ｂとしては、例えば、従来から汎用されているタイミングコントローラＩＣを用いることができる。
【００７４】
図１０に示す例では、タイミングコントローラ２ｂからゲート制御信号生成部２４にゲートドライバ３の動作を制御するための制御信号が入力され、タイミングコントローラ２ｂからソース制御信号生成部２５にソースドライバ４の動作を制御するための制御信号が入力される。ゲート制御信号生成部２４およびソース制御信号生成部２５の構成および動作は実施形態１と同様である。
【００７５】
このような構成からなる液晶表示装置１００ｂにおいても、実施形態１にかかる液晶表示装置１００と略同様の効果を得ることができる。
【００７６】
〔実施形態３〕
実施形態１では、ゲートスロープ信号ＧＳＬＯＰがローレベルである場合にゲート信号生成用電圧ＶＧＨの波形調整処理が行われない構成について説明した。これに対して、本実施形態では、ゲートスロープ信号ＧＳＬＯＰがハイレベルである場合にゲート信号生成用電圧ＶＧＨの波形調整処理を行わないようにしてもよい。この場合にも、実施形態１と略同様の効果を得ることができる。
【００７７】
なお、ゲートスロープ信号ＧＳＬＯＰは、ハイレベルおよびローレベルのうち、ゲート信号生成用電圧ＶＧＨの波形調整処理が行われないことを示す方がグランド電位に近い電位であることがより好ましい。これにより、電源オフ処理時におけるゲートスロープ信号ＧＳＬＯＰの切り替えに伴う消費電力を低減することができる。
【００７８】
〔実施形態４〕
液晶表示装置１００の制御回路２（特に、ゲート制御信号生成部２４、ソース制御信号生成部２５、および画像処理部２２）は、集積回路（ＩＣチップ）等に形成された論理回路（ハードウェア）によって実現してもよいし、ＣＰＵ（Central Processing Unit）を用いてソフトウェアによって実現してもよい。
【００７９】
後者の場合、液晶表示装置１００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００８０】
〔まとめ〕
本発明の態様１にかかる液晶表示装置１００は、複数の走査信号線（ゲートライン３１）と、上記各走査信号線（ゲートライン３１）と交差する複数の映像信号線（ソースライン４１）と、上記映像信号線（ソースライン４１）と上記映像信号線（ソースライン４１）との交差部毎に設けられた絵素５０と、上記走査信号線（ゲートライン３１）に書込対象の走査信号線（ゲートライン３１）を選択するための走査信号を出力する走査信号線駆動部（ゲートドライバ３）と、上記各映像信号線（ソースライン４１）に画像データに応じた電位を出力する映像信号線駆動部（ソースドライバ４）と、上記走査信号線駆動部（ゲートドライバ３）に上記走査信号を生成するための走査信号生成用電圧を供給する電圧制御部（ゲート制御信号生成部２４）とを備え、上記走査信号線駆動部（ゲートドライバ３）が上記走査信号生成用電圧に応じた走査信号を書込対象とする走査信号線（ゲートライン３１）に出力する液晶表示装置１００であって、画像表示期間中には、上記電圧制御部（ゲート制御信号生成部２４）は書込対象として選択する走査信号線（ゲートライン３１）上の各絵素５０に入力される上記走査信号の信号波形の絵素毎の差異を小さくするための上記走査信号生成用電圧の波形調整処理を行い、かつ上記映像信号線駆動部（ソースドライバ４）は画像データに応じた電位を上記各映像信号線（ソースライン４１）に出力し、当該液晶表示装置１００の電源オフ処理時には、上記電圧制御部（ゲート制御信号生成部２４）は上記波形調整処理を行わず、上記映像信号線駆動部（ソースドライバ４）は電源オフ処理用の所定電位を上記各映像信号線（ソースライン４１）に出力することを特徴としている。
【００８１】
上記の構成によれば、電圧制御部（ゲート制御信号生成部２４）は、画像表示期間中には書込対象として選択する走査信号線（ゲートライン３１）上の各絵素５０に入力される走査信号の信号波形の絵素毎の差異を小さくするための走査信号生成用電圧の波形調整処理を行う一方、電源オフ処理時には走査信号生成用電圧の波形調整処理を行わない。また、映像信号線駆動部（ソースドライバ４）は、画像表示期間中には画像データに応じた電位を各映像信号線（ソースライン４１）に出力し、電源オフ処理時には電源オフ処理用の所定電位を各映像信号線（ソースライン４１）に出力する。これにより、画像表示期間中に走査信号線（ゲートライン３１）上の位置に応じた走査信号の鈍りに起因する表示品位の低下を抑制することができる。また、電源オフ処理時には、走査信号生成用電圧の波形調整処理によって絵素５０に入力される走査信号の電位が低下することを防止し、各絵素５０に電源オフ処理用の所定電位を確実に印加して絵素５０に蓄積された電荷を放出させることができる。したがって、画像表示期間中における表示品位の低下を抑制するとともに、電源オフ時に絵素５０に電圧が印加され続けることを適切に防止することができる。
【００８２】
本発明の態様２にかかる液晶表示装置１００は、上記態様１において、外部電源から供給される電力を上記電圧制御部（ゲート制御信号生成部２４）に供給する主電源回路１２と、当該液晶表示装置１００に備えられる充電手段に充電された電力を上記電圧制御部（ゲート制御信号生成部２４）に供給する補助電源回路１３とを備え、上記電圧制御部（ゲート制御信号生成部２４）は、画像表示期間中には上記主電源回路１２からの供給電圧に上記波形調整処理を施して生成した上記走査信号生成用電圧を上記走査信号線駆動部（ゲートドライバ３）に出力し、電源オフ処理時には上記補助電源回路１３からの供給電圧に応じた電圧を上記走査信号生成用電圧として上記走査信号線駆動部（ゲートドライバ３）に出力する構成である。
【００８３】
上記の構成によれば、電源オフ処理時には充電手段からの供給電圧を用いて電源オフ処理を行うため、充電手段からの供給電圧が徐々に低下していくが、上記波形調整処理による走査信号の電位の低下を防止できるので、電源オフ処理を適切に行うことができる。また、電源オフ処理を適切に完了させるために要求される充電手段の容量を低減できるので、コストダウンを図ることができる。
【００８４】
本発明の態様３にかかる液晶表示装置１００は、上記態様２において、上記外部電源からの供給電圧の低下を検知する電圧検知部（電圧降下検知回路１１）を備え、上記電圧制御部（ゲート制御信号生成部２４）および上記映像信号線駆動部（ソースドライバ４）は、上記電圧検知部によって上記外部電源からの供給電圧が所定値以下に低下したことが検知された場合に上記電源オフ処理を行う構成である。
【００８５】
上記の構成によれば、液晶表示装置１００の電源オフを電圧検知部によって検知し、電圧制御部（ゲート制御信号生成部２４）および映像信号線駆動部（ソースドライバ４）に電源オフ処理を自動的に行わせることができる。
【００８６】
本発明の態様４にかかる液晶表示装置１００は、上記態様１から３のいずれかにおいて、上記絵素５０は、絵素電極６２と、対向電極６３と、絵素電極６２と対向電極６３との間に配置された液晶層５４と、ゲート端子が上記走査信号線（ゲートライン３１）に接続され、ソース端子が上記映像信号線（ソースライン４１）に接続され、ドレイン端子が上記絵素電極６２に接続されたスイッチング素子（ＴＦＴ６１）とを備え、上記所定電位は、上記対向電極６３またはグランド電位と略同電位である構成である。
【００８７】
上記の構成によれば、電源オフ処理時に絵素電極６２に印加される電位を対向電極６３またはグランド電位と略同電位にすることによりスイッチング素子（ＴＦＴ６１）のオフリーク電流を増大させ、絵素に蓄積された電荷を抜けやすくすることができる。
【００８８】
本発明の態様５にかかる液晶表示装置１００は、上記態様４において、上記スイッチング素子は、酸化物半導体からなるチャネル層を備えた薄膜トランジスタである構成である。
【００８９】
酸化物半導体からなるチャネル層を備えた薄膜トランジスタは、オフリーク電流が非常に少ないという特性を有しており、絵素に蓄積された電荷が抜けにくく、電源オフ期間中に絵素に電荷が蓄積され続けて焼き付き等の不具合が生じやすい。これに対して、上記の構成によれば、電源オフ処理を適切に行って絵素５０に蓄積された電荷を抜くことができるので、酸化物半導体からなるチャネル層を備えた薄膜トランジスタを用いている場合であっても焼き付き等の不具合が生じることを防止できる。
【００９０】
本発明の態様６にかかる液晶表示装置１００の制御方法は、複数の走査信号線（ゲートライン３１）と、上記各走査信号線（ゲートライン３１）と交差する複数の映像信号線（ソースライン４１）と、上記走査信号線（ゲートライン３１）と上記映像信号線（ソースライン４１）との交差部毎に設けられた絵素５０と、上記走査信号線（ゲートライン３１）に書込対象の走査信号線（ゲートライン３１）を選択するための走査信号を出力する走査信号線駆動部（ゲートドライバ３）と、上記各映像信号線（ソースライン４１）に画像データに応じた電位を出力する映像信号線駆動部（ソースドライバ４）と、上記走査信号線駆動部（ゲートドライバ３）に上記走査信号を生成するための走査信号生成用電圧を供給する電圧制御部（ゲート制御信号生成部２４）とを備え、上記走査信号線駆動部（ゲートドライバ３）が上記走査信号生成用電圧に応じた走査信号を書込対象とする走査信号線（ゲートライン３１）に出力する液晶表示装置１００の制御方法であって、画像表示期間中には、上記電圧制御部（ゲート制御信号生成部２４）に書込対象として選択する走査信号線（ゲートライン３１）上の各絵素５０に入力される上記走査信号の信号波形の絵素毎の差異を小さくするための上記走査信号生成用電圧の波形調整処理を行わせるとともに、上記映像信号線駆動部（ソースドライバ４）から上記各映像信号線（ソースライン４１）に表示させる画像に応じた電位を出力させ、当該液晶表示装置１００の電源オフ処理時には、上記電圧制御部（ゲート制御信号生成部２４）に上記波形調整処理を行なわず、上記映像信号線駆動部（ソースドライバ４）から上記各映像信号線（ソースライン４１）に電源オフ処理用の所定電位を出力させることを特徴としている。
【００９１】
上記の方法によれば、画像表示期間中に走査信号線（ゲートライン３１）上の位置に応じた走査信号の鈍りに起因する表示品位の低下を抑制することができる。また、電源オフ処理時には、走査信号生成用電圧の波形調整処理によって絵素５０に入力される走査信号の電位が低下することを防止し、各絵素５０に電源オフ処理用の所定電位を確実に印加して絵素５０に蓄積された電荷を放出させることができる。したがって、画像表示期間中における表示品位の低下を抑制するとともに、電源オフ時に絵素５０に電圧が印加され続けることを適切に防止することができる。
【００９２】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００９３】
本発明は、液晶表示装置に適用できる。
【符号の説明】
【００９４】
１  電源回路
２  制御回路
２ｂ  タイミングコントローラ
３  ゲートドライバ（走査信号線駆動部）
４  ソースドライバ（映像信号線駆動部）
５  液晶パネル
１１  電圧降下検知回路（電圧検知部）
１２  主電源回路
１３  補助電源回路
２１  画像データ入力部
２２  画像処理部
２３  同期処理部
２４  ゲート制御信号生成部
２５  ソース制御信号生成部（電圧制御部）
２６  ゲートスロープ信号生成部（電圧制御部）
２７  電圧調整部（電圧制御部）
３１  ゲートライン（走査信号線）
４１  ソースライン（映像信号線）
５０  絵素
５４  液晶層
６１  ＴＦＴ（スイッチング素子）
６２  絵素電極
６３  対向電極
１００  液晶表示装置
１００ｂ  液晶表示装置
【図１】
2015197484.tif 000003
【図２】
2015197484.tif 000004
【図３】
2015197484.tif 000005
【図４】
2015197484.tif 000006
【図５】
2015197484.tif 000007
【図６】
2015197484.tif 000008
【図７】
2015197484.tif 000009
【図８】
2015197484.tif 000010
【図９】
2015197484.tif 000011
【図１０】
2015197484.tif 000012
【図１１】
2015197484.tif 000013